(57)【特許請求の範囲】
【請求項１】
着用者の２つの肩部位の周りに延びるように配置されて、それぞれが第１部分と第２部分とを含む、相互に結合された２つのストラップ・ループと、該ストラップ・ループに装着されて、フロント・ピースを有するキャリング・ポケットとを含み、前記フロント・ピースが少なくとも１つの自由側縁部を有しており、該側縁部を、前記ストラップ・ループで前記フロント・ピースを担持するための少なくとも１つの上側第１結合器具及び少なくとも１つの上側第２結合器具によって、隣接する前記ストラップ・ループに取り付けることができ、前記キャリング・ポケットがさらに、下側結合器具によってそれぞれの前記ストラップ・ループに調節可能に取り付けることができる着座部分を有しており、前記フロント・ピースとそれぞれの前記ストラップ・ループとが前記上側第２結合器具の下方で、ベビーキャリア内に座る小児のための脚用開口を画定しており、これに加えて、少なくとも１つの前記ストラップ・ループの前記第１部分が、前記下側結合器具と取り外し可能に結合されているベビーキャリアであって、それぞれの前記ストラップ・ループの前記第２部分が、前記上側第２結合器具と同じ高さで、前記第１部分と結合されており、小児の身長に応じた前記ベビーキャリアのサイズの調節が専ら、前記上側第２結合器具が常に小児の腕のすぐ下側に位置するように前記着座部分を調節することによって行われる、ベビーキャリア。
【請求項２】
前記ベビーキャリアはまた、着用者の少なくとも胸側でそれぞれの前記ストラップ・ループの前記第１部分の少なくとも一方と結合された、着用者の腰の周りに延びるリリーフ・ベルトを含む、請求項１に記載のベビーキャリア。
【請求項３】
前記リリーフ・ベルトはまた、着用者の背側でそれぞれの前記ストラップ・ループと調節可能に結合されている、請求項２に記載のベビーキャリア。
【請求項４】
着用者の背側における前記リリーフ・ベルトとそれぞれの前記ストラップ・ループとの前記調節可能な結合は、剛性部材によって提供される、請求項３に記載のベビーキャリア。
【発明の詳細な説明】
【技術分野】
【０００１】
本発明は、請求項１の前文に見られるタイプのベビーキャリアに関する。
【背景技術】
【０００２】
かくして、本ベビーキャリアは、着用者の２つの肩部位の周りに延びるように配置されて、それぞれが第１部分と第２部分とを含む、相互に結合された２つのストラップ・ループと、ストラップ・ループに装着されて、フロント・ピースを有するキャリング・ポケットとを含み、フロント・ピースが少なくとも１つの自由側縁部を有しており、側縁部を、ストラップ・ループでフロント・ピースを担持するための少なくとも１つの上側第１結合器具及び少なくとも１つの上側第２結合器具によって、隣接するストラップ・ループに取り付けることができ、キャリング・ポケットがさらに、下側結合器具によってそれぞれのストラップ・ループに調節可能に取り付けることができる着座部分を有しており、フロント・ピースとそれぞれのストラップ・ループとが上側第２結合器具の下方で、ベビーキャリア内に座る小児のための脚用開口を画定しており、これに加えて、少なくとも１つのストラップ・ループの第１部分が、下側結合器具と取り外し可能に結合されているタイプのものである。
【０００３】
小児が生まれたばかりの時からほぼ１２ｋｇの体重になるまで、同一のベビーキャリアを利用しうることが望ましい。このことは、小児は生後１年間に体重が約３倍増加し、身長が約３０％高くなるという事実を根拠としている。
【０００４】
より重い小児を快適に担持するのを可能にするために、着用者の肩にかかる圧力をできるだけ大きな程度まで軽減するように、着用者の腰周りに延びるリリーフ・ベルトを備えたベビーキャリアを提供することが一般的である。
【０００５】
リリーフ・ベルトを備えたベビーキャリアを提供することにより、さらに、着座部分、ひいては小児の脚及び背中が着用者に接近し、小児の重心は着用者により接近するように動かされ、そして小児をより容易に、そしてより安全に担持することができる。
【０００６】
さらに、新生児をベビーキャリア内で真っ直ぐの姿勢で保持することにより、気道の自由を保ち、また背中が正しい位置に保たれるのを保証することが極めて重要である。
【０００７】
従って、小児が担持されているときには、少なくとも小児の胸部又は背部が、リリーフ・ベルトを有する又は有さない上述のタイプのコンベンショナルなベビーキャリアにおいて可能にされるよりも、着用者に接近するように動かされて着用者に接近して位置するのを可能にするベビーキャリアを提供することが望ましい。より正確に言えば、小児が正しい姿勢に保たれることを保証するために、ベビーキャリア内で着用者に顔を向けて座っている場合には、小児の背中全体にわたって着用者に向けられた張り(strain)を提供し、又は着用者とは反対側に顔を向けて座っている場合には、その胸全体にわたって着用者に向けられた張りを提供することが望ましい。小さな子供の背部／胸部全体にわたるこのような張りが存在しなければ、小児はベビーキャリア内でずり下がるリスクがあり、小児の気道が塞がれる危険がある。
【０００８】
さらに新生児の場合、新生児の真っ直ぐの姿勢を保つことになる張りが、小児の背部／胸部に対して正しい位置で、より正確に言えば、新生児の腕のすぐ下の高さで生じることが極めて重要である。張りは好ましくは、小児の背部／胸部全体にわたる領域を有している。
【０００９】
これに関連して念のために述べておくが、上述のタイプのベビーキャリアの場合、生後４ヶ月までの小児は、頭を安定した状態では支えられず、頭はフロント・ピースの上縁部分によって支持されることが必要であるという事実により、着用者とは反対側に顔を向けてキャリア内に座るべきではない。
【００１０】
小児が成長するのに従って、張りが正しいスポット内に位置するようになることを可能にするために、ベビーキャリアの少なくとも着座部分は調節可能でなければならない。さもなければ、小さな子供の場合、張りは子供の身体のあまりにも高い場所で発生し、また大きい子供の場合、あまりにも低い場所で発生するというリスクがある。
【発明の概要】
【発明が解決しようとする課題】
【００１１】
従って、本発明の目的は、上述の欠点が少なくとも部分的に取り除かれたベビーキャリアを提供することである。
【課題を解決するための手段】
【００１２】
この目的は、請求項１に記載されたベビーキャリアによって達成される。
【００１３】
ベビーキャリアの好適な実施形態は従属請求項において明らかにされている。
【００１４】
添付図面を参照しつつ、非限定的例示形式で本発明を以下にさらに詳しく説明する。
【図面の簡単な説明】
【００１５】
【図１】本発明によるベビーキャリアを斜め正面から見た状態で示す全体図である。
【図１ａ】図１のベビーキャリアを示す背面図である。
【図２】図１のベビーキャリアを示す側面図である。
【発明を実施するための形態】
【００１６】
下記説明及び特許請求の範囲において、ベビーキャリアは、顔が着用者の胸に向いている状態で小児が担持されている事例において記述されてはいるが、しかし顔が着用者の胸とは反対側を向いた状態で小児を担持することもできることは明らかである。
【００１７】
図１に見られるように、本発明によるベビーキャリア１は、相互に結合されて着用者の２つの肩部位の周りに延びるように配置された、２つの調節可能なストラップ・ループ２ａ，２ｂを含む。ストラップ・ループのそれぞれは第１部分／端部３と第２部分／端部４とを含む。ストラップ・ループには、キャリング・ポケット１０が装着されており、キャリング・ポケット１０は、少なくとも１つの自由側縁部を有するフロント・ピース１２を有している。該側縁部は、ストラップ・ループでフロント・ピース１２を担持するための少なくとも１つの上側第１結合器具５ａ及び少なくとも１つの上側第２結合器具５ｂによって、隣接するストラップ・ループに取り付けることができる。好ましくは、ベビーキャリア内に座っている小児の腕が上側第１結合器具と上側第２結合器具との間に位置するように、キャリング・ポケットは形成され、そしてそれぞれのストラップ・ループに取り付けられている。少なくともフロント・ピース１２は好ましくは、パッド付きの可撓性布地材料から製造されている。キャリング・ポケットはまた、下側結合器具１６によってそれぞれのストラップ・ループ２ａ，２ｂに調節可能に取り付けることができる着座部分１４を有している。フロント・ピース１２とそれぞれのストラップ・ループとは、上側第２結合器具５ｂの下方で、ベビーキャリア内に座る小児のための脚用開口を画定している。さらに、少なくとも１つのストラップ・ループの第１部分３は、下側結合器具１６と取り外し可能に結合されている。
【００１８】
上述のタイプのベビーキャリアの場合、このことは、ジャケットの形態でベビーキャリアが着脱されるのを可能にする。
【００１９】
フロント・ピース１２の上側第１結合器具５ａ及び上側第２結合器具５ｂへの取り付けは、周知の方法、好ましくは、例えば国際公開第０３／００３８８０号パンフレットに記載されているのと同じ方法で行われるので、これ以上詳しくは説明しない。
【００２０】
上述のタイプのベビーキャリアの場合、ベビーキャリアのサイズの調節は、小児の身長に応じて、専ら着座部分１４のサイズ／長さを調節することによって行われる。より正確に言えば、着座部分１４は細長い舌片１４ａを含み、この舌片１４ａは、下側結合器具１６に調節可能に取り付けられている。小児の成長に応じたベビーキャリアの調節は、着座部分１４が、これを伸長させることにより広くなるように行われる。小児の身長に応じてベビーキャリアのサイズを最適に調節するためには、この調節は、小児の腕が常に上側第２結合器具５ｂの上方に位置するようにすることを必要とする。しかし念のために述べておくと、フロント・ピース１２に配置された上縁部分１７の幅は、周知のタイプの調節可能なバックル１８によって調節することができる。
【００２１】
また、小児が担持されているときに、少なくとも小児の胸部が着用者により接近するように動かされて着用者により接近して位置するようにするために、それぞれのストラップ・ループ２ａ，２ｂの第２部分４が、上側第２結合器具５ｂと同じ高さで、そして小児の腕のすぐ下で、第１部分３と結合される。このことは、フロント・ピース１２を介して、腕の下に、そして小児の背部全体にわたって、着用者の胸に向いた張りを生じさせる。上述のように第２部分４と第１部分３とを結合することにより、フロント・ピース１２を介して生じた張りは、図１及び２において、線を引いた領域１１によって概略的に示されている。担持エルゴノミクスは、小児の重心が着用者に接近するように動かされるという点、並びに小児が真っ直ぐの姿勢に保たれ、気道が自由な状態に保たれるという点で改善される。さらに、小児の背部が正しい位置に保たれることが保証される。
【００２２】
上側第１結合器具５ａのうちの一方又は両方が、例えば上縁部分１７を低くするためにストラップ・ループから緩められたとき、小児は背をそらせることがあるが、しかし、それぞれのストラップ・ループの第２部分４が上側第２結合器具５ｂと同じ高さで第１部分３に取り付けられているために、小児の重心が着用者から大きく変異することはなく、また、キャリアから立ち上がろうとした場合に、小児がキャリアから落ちるリスクもない。このことは、下側結合器具１６に関連して着座部分１４の舌片１４ａの長さを変えることにより、ベビーキャリアのサイズを調節することによっても保証される。このようなサイズの調節により、小児の背中、肩、及び頭は、小児の身長とは独立して、常にフロント・ピース１２に対してほぼ同じスポットに位置することになる。
【００２３】
さらに、ベビーキャリアは、好適な方法で調節可能であり、好ましくは着用者の腰の周りに延びるリリーフ・ベルト６を含んでもよい。リリーフ・ベルト６は、好ましくは下側結合器具１６を介して、少なくとも着用者の胸部の側に位置するそれぞれのストラップ・ループの第１の部分３のうちの少なくとも一方と、取り外し可能に結合されている。すなわち、リリーフ・ベルトは、着用者の背側に位置するそれぞれのストラップ・ループと結合される必要はない。
【００２４】
好適な実施形態の場合、リリーフ・ベルト６はバック・プレート２０を含む。バック・プレート２０は、図１ａに見られるように、剛性部材２１を介して着用者の背側で、それぞれのストラップ・ループ２ａ，２ｂと鉛直方向に調節可能に結合されている。この剛性部材２１はまた、調節手段２１ａを介してストラップ・ループ２ａ，２ｂを調節可能に相互に結合している。調節手段２１ａは、互いに面するストラップ・ループのそれぞれの縁部にスライド可能に取り付けられている。バック・プレートを含まないリリーフ・ベルトを、着用者の背側でそれぞれのストラップ・ループと調節可能に結合できることは明らかである。
【符号の説明】
【００２５】
２ａ，２ｂ    ストラップ・ループ
３    第１部分
４    第２部分
１０    キャリング・ポケット
１２    フロント・ピース
５ａ    上側第１結合器具
５ｂ    上側第２結合器具
１４    着座部分
１６    下側結合器具
【図１】
0005960429.tif 000002
【図１ａ】
0005960429.tif 000003
【図２】
0005960429.tif 000004